【手続補正書】
【提出日】平成16年2月25日(2004.2.25)
【手続補正１】
【補正対象書類名】明細書
【補正対象項目名】特許請求の範囲
【補正方法】変更
【補正の内容】
【特許請求の範囲】
【請求項１】
情報を送受信する情報管理装置に付設されて、情報管理装置を利用するユーザに関する個人プロファイルを送受信する情報に基づいて管理する個人プロファイル管理装置において、
他の情報管理装置との間で通信された情報からテキストを抽出する送受信情報獲得部と、
抽出したテキスト中から単語を抽出し、当該単語の出現回数及び抽出した全単語に対する当該単語の出現割合を算出して自己の情報管理装置を利用するユーザ個人に関する個人単語出現頻度情報を生成する単語分割／頻度計算部と、
他の個人プロファイル管理装置との間で生成した個人単語出現頻度情報の授受を行う情報通信部と、
自己及び他の個人プロファイル管理装置で生成された個人単語出現頻度情報を統合して、自己及び他の個人プロファイル管理装置で抽出された全単語中での各単語の総出現回数及び出現割合を算出して統合単語出現頻度情報を生成する単語出現頻度情報統合部と、
個人単語出現頻度情報と統合単語出現頻度情報との各単語に関する出現割合の変化の傾向に基づいて、相対的に各単語が自己の情報管理装置を利用するユーザ個人の特徴を表す度合いを決定する単語顕現度決定部と、
を有することを特徴とする個人プロファイル管理装置。
【請求項２】
請求項１に記載の個人プロファイル管理装置において、
情報通信部は、他の個人プロファイル管理装置で生成された統合単語出現頻度情報の授受も行い、
単語出現頻度情報統合部は、自己及び他の個人プロファイル管理装置で生成された統合単語出現頻度情報を統合して、他の個人プロファイル管理装置が付設されている情報管理装置とは直接的に情報の送受信を行うが自己の個人プロファイル管理装置が付設されている情報管理装置とは直接的に情報の送受信を行っていない二次的な更に他の個人プロファイル管理装置を含めた新たな統合単語出現頻度情報を生成することを特徴とする個人プロファイル管理装置。
【請求項３】
請求項２に記載の個人プロファイル管理装置において、
情報通信部は、更に高次の他の個人プロファイル管理装置で生成された統合単語出現頻度情報の授受も行い、
単語出現頻度情報統合部は、自己及び他の個人プロファイル管理装置で生成された統合単語出現頻度情報を統合して、自己の個人プロファイル管理装置が付設されている情報管理装置とは直接的に情報の送受信を行っていない高次の他の個人プロファイル管理装置を含めた新たな統合単語出現頻度情報を各次数毎に生成することを特徴とする個人プロファイル管理装置。
【請求項４】
請求項３に記載の個人プロファイル管理装置において、
単語顕現度決定部は、各次数毎に生成された統合単語出現頻度情報の内の間欠的な統合単語出現頻度情報の各単語に関する出現割合と、個人単語出現頻度情報の各単語に関する出現割合との変化の傾向に基づいて、相対的に各単語が自己の情報管理装置を利用するユーザ個人の特徴を表す度合いを決定することを特徴とする個人プロファイル管理装置。
【請求項５】
請求項３に記載の個人プロファイル管理装置において、
単語顕現度決定部は、各次数毎に生成された統合単語出現頻度情報の内の自己の個人プロファイル管理装置に近い低次の統合単語出現頻度情報の各単語に関する出現割合と、個人単語出現頻度情報の各単語に関する出現割合との変化の傾向に基づいて、相対的に各単語が自己の情報管理装置を利用するユーザ個人の特徴を表す度合いを決定することを特徴とする個人プロファイル管理装置。
【請求項６】
送受信される情報に基づいて、当該情報を送受信するユーザに関する個人プロファイル情報を管理する処理をコンピュータに実行させるためのプログラムを記憶した記憶媒体において、
通信された情報からテキストを抽出する送受信情報獲得機能と、
獲得したテキスト中から単語を抽出し、当該単語の出現回数及び抽出した全単語に対する当該単語の出現割合を算出してユーザ個人に関する個人単語出現頻度情報を生成する単語分割／頻度計算機能と、
他のユーザに関して生成された個人単語出現頻度情報を受信する情報通信機能と、
自己及び他のユーザに関して生成された個人単語出現頻度情報を統合して、自己及び他のユーザについて抽出された全単語中での各単語の総出現回数及び出現割合を算出して統合単語出現頻度情報を生成する単語出現頻度情報統合機能と、
個人単語出現頻度情報と統合単語出現頻度情報との各単語に関する出現割合の変化の傾向に基づいて、相対的に各単語が自己のユーザ個人の特徴を表す度合いを決定する単語顕現度決定機能と、
をコンピュータに実現させるプログラムをコンピュータにより読み取り可能に記憶したことを特徴とする記憶媒体。
【請求項７】
情報を送受信する情報管理装置を利用するユーザに関する個人プロファイルを、前記送受信する情報に基づいて管理する情報管理装置における個人プロファイル管理方法において、
他の情報管理装置との間で通信された情報からテキストを抽出し、
当該抽出したテキスト中から単語を抽出し、
当該単語の出現回数及び抽出した全単語に対する当該単語の出現割合を算出し、
当該出現割合を参照して情報管理装置を利用するユーザ個人に関する個人単語出現頻度情報を生成し、
他の情報管理装置において生成された個人単語出現頻度情報を取得し、
自己及び他の情報管理装置において生成された個人単語出現頻度情報を統合して、自己及び他の情報管理装置において抽出された全単語中での各単語の総出現回数及び出現割合を算出して統合単語出現頻度情報を生成し、
個人単語出現頻度情報と統合単語出現頻度情報との各単語に関する出現割合の変化の傾向に基づいて、相対的に各単語が自己の情報管理装置を利用するユーザ個人の特徴を表す度合いを決定することを特徴とする個人プロファイル管理方法。
【手続補正２】
【補正対象書類名】明細書
【補正対象項目名】０００１
【補正方法】変更
【補正の内容】
【０００１】
【発明の属する技術分野】
本発明は、通信される情報から個人の専門の領域や興味を知るための重要な単語をプロファイルとして抽出し、当該単語の出現割合の変化の傾向に基づいて、各個人の特徴を相対的に決定する個人プロファイル管理装置、並びに、このような個人プロファイル管理を行う方法及びこのような個人プロファイル管理をコンピュータに実現させるプログラムを記憶した記憶媒体に関する。
なお、本発明は、データベース等に登録された個人プロファイル情報を利用して電子メールや電子ニュースなどの選択や顕現度付けを行う装置や、データベース等に登録された個人プロファイル情報をキーワードに基づいて検索を行う装置等として応用される。


【手続補正３】
【補正対象書類名】明細書
【補正対象項目名】００５４
【補正方法】変更
【補正の内容】
【００５４】
【発明の効果】
以上説明したように、本発明では、送受信情報から生成した単語情報を、サーバー等の単語情報を一括管理する装置を必要とせずに、情報の送受信関係から構築されるネットワークにおいて単語情報の交換を繰り返し流通させることで、近傍から広域に至る範囲の単語情報を段階的に獲得することができる。すなわち、或る個人について送受信される情報から抽出した各単語を用いて、当該個人を含む距離の異なる集団との比較において適切に顕現度を評価した個人プロファイルを作成することができる。
また、本発明では、ネットワーク距離の違いによる単語データの変化を参照することにより、集団の範囲を意識したきめ細やかな個人プロファイルを作成することができる。